(57)【要約】      （修正有）【課題】アームが延びていて、重量物を吊り上げるのに便利であり、しかも容易に各種の機械に取付けて機械力を吊り上げに利用できる簡易起重機を提供する。【解決手段】機械力を利用できる位置に取付けて使用されるアームａの先端ａ１寄りに設けられた滑車１と基端ａ２寄りに設けられた滑車２を備えており、しかもアームａの基端ａ２寄りに連結されたロープ３が、駆動源と連結される駆動フックＦの中継滑車４を経由し、さらに前記の基端ａ２寄りの滑車２と先端ａ１寄りの滑車１とを経由して、重量物Ｌに連結される構造としたので、機械力を利用してロープ３を引き上げ、重量物Ｌを引き上げ移動でき、従来のように人力で重量物を持ち上げる必要が無くなる。【選択図】図１
0003200595.tif 000002
【実用新案登録請求の範囲】
【請求項１】
機械力を利用できる位置に取付けて使用されるアームの先端寄りに設けられた滑車と基端寄りに設けられた滑車を備えており、しかもアームの基端寄りに連結されたロープが、駆動源と連結される駆動フックの中継滑車を経由し、さらに前記の基端寄りの滑車と先端寄りの滑車とを経由して、前記の重量物に連結される構造としたことを特徴とする簡易起重機。
【請求項２】
前記のアームは、その任意の部位を、機械力を利用できる位置に取付けて、機械力が前記の駆動フックに伝わるように連結される構造を特徴とする請求項１に記載の簡易起重機。
【請求項３】
前記のアームの先端側が水平方向に首振り旋回できるように、可動式に取付けてあることを特徴とする請求項１又は請求項２に記載の簡易起重機。
【請求項４】
清掃車の往復動体に前記の駆動フックを引っ掛けて連結する構造を特徴とする請求項１、請求項２又は請求項３に記載の簡易起重機。
【考案の詳細な説明】
【技術分野】
【０００１】
重い物を持ち上げる必要のある仕事は、高齢になると肉体的に無理が効かず、廃業したりするケースが増えている。このような場合に簡易に取付けて、重い物でも機械力を利用して容易に持ち上げることの出来る簡易式の起重機が有ると便利である。
【背景技術】
【０００２】
簡易式の起重機として、特許文献１のような自在架台が提案されている。すなわち、エアコン室外機等の比較的重量物を人力に任せて庇や壁等の高所に取り付けたり、外したりという危険な作業をなくし、大幅に作業時間とコストを削減するために、次のような構成とした。
エアコン室外機等の取り付け架台を取り付ける為のアンカーボルト等に、滑車や緩衝材等、ウィンチ等を取り付け、ウィンチでエアコン室外機の底側に回したロープを巻き上げ、或はロープでエアコン室外機の上面に取り付けた緩衝材を介してロープを巻き上げ、希望の位置まで吊り上げると取り付け作業は完了する。
【先行技術文献】
【特許文献】
【０００３】
【特許文献１】特開2007-46887号公報
【考案の概要】
【考案が解決しようとする課題】
【０００４】
ところが、前記のような構造では、アームが無いため、真下に有る重量物しか上げ下ろし出来ず、用途が限られる。さらに、取付け場所も限定されるため、応用範囲が狭い。
本考案の技術的課題は、このような問題に着目し、アームが延びていて、重量物を吊り上げるのに便利であり、しかも容易に各種の機械に取付けて機械力を吊り上げに利用できる構造を実現する。
【課題を解決するための手段】
【０００５】
本考案の技術的課題は次のような手段によって解決される。請求項１は、機械力を利用できる位置に取付けて使用されるアームの先端寄りに設けられた滑車と基端寄りに設けられた滑車を備えており、しかもアームの基端寄りに連結されたロープが、駆動源と連結される駆動フックの中継滑車を経由し、さらに前記の基端寄りの滑車と先端寄りの滑車とを経由して、前記の重量物に連結される構造としたことを特徴とする簡易起重機である。なお、前記のロープとは、金属製のワイヤーを含む概念とする。
【０００６】
請求項２は、前記のアームは、その任意の部位を、機械力を利用できる位置に取付けて、機械力が前記の駆動フックに伝わるように連結される構造を特徴とする請求項１に記載の簡易起重機である。
【０００７】
請求項３は、前記のアームの先端側が水平方向に首振り旋回できるように、可動式に取付けてあることを特徴とする請求項１又は請求項２に記載の簡易起重機である。
【０００８】
請求項４は、清掃車の往復動体に前記の駆動フックを引っ掛けて連結する構造を特徴とする請求項１、請求項２又は請求項３に記載の簡易起重機である。
【考案の効果】
【０００９】
請求項１のように、機械力を利用できる位置に取付けて使用されるアームの先端寄りに設けられた滑車と基端寄りに設けられた滑車を備えており、しかもアームの基端寄りに連結されたロープが、駆動源と連結される駆動フックの中継滑車を経由し、さらに前記の基端寄りの滑車と先端寄りの滑車とを経由して、前記の重量物に連結される構造としたので、械力を利用してロープを引き上げ、重量物を引き上げ移動でき、従来のように人力で重量物を持ち上げる必要が無くなる。
【００１０】
請求項２のように、前記のアームは、その任意の部位を、機械力を利用できる位置に取付けて、機械力が前記の駆動フックに伝わるように連結される構造としたため、アームの取付け位置を工夫することにより、機械力でロープを引き上げて、重量物を持ち上げることが可能となる。
【００１１】
請求項３のように、前記のアームの先端側が水平方向に首振り旋回できるように、可動式に取付けてあるので、重量物の移動範囲が広くなり、使い勝手が良くなる。
【００１２】
請求項４のように、清掃車の往復動体に前記の駆動フックを引っ掛けて連結する構造となっているので、清掃車の往復動体の動きを利用してロープを引き上げ、機械力を生かして容易に重量物を引き上げて移動でき、人間の労力を軽減できる。
【図面の簡単な説明】
【００１３】
【図１】本考案による簡易起重機の斜視図である。
【図２】前記の簡易起重機の使用状態を示す斜視図である。
【図３】本考案の簡易起重機の別の実施形態を示すアーム基端側とアーム先端側の断面図である。
【考案を実施するための形態】
【００１４】
次に本考案による簡易起重機が実際上どのように具体化されるか実施形態を説明する。図１は斜視図であり、アームａを包囲するＵボルトＵ１、Ｕ２を基体アングルＡ１、Ａ２に溶接して取付けた状態で、アームａの先端ａ１寄りの滑車１と基端ａ２寄りの滑車２にロープ３を渡し、このロープ３の先端に重量物Ｌを掛けるフックｆを取付け、他端はアームａの基端ａ２に取付けてある。そして、この基端ａ２と基端側滑車２との間で、駆動源に取付ける駆動フックＦの中継滑車４が介在している。
図２は、この簡易起重機を清掃車に取付けて重量物Ｌの積込みをしている状態の斜視図であり、清掃車の後壁に取付けてある棚にアングルＡ１、Ａ２とＵボルトＵ１、Ｕ２でアームａを取付け固定してある。より確実に固定するには、図１の雄ねじＳを併用するとよい。
【００１５】
使用に際しては、前記の駆動側フックＦを清掃車の往復動体５に取付けた状態で、重量物Ｌを前記のフックｆに取付ける。そして、前記往復動体５を前進させると、ロープ３が巻き取られて前進し、ロープ３の先端が巻き上げられる。このとき、フックｆに掛けられた重量物Ｌが上昇し、後は重量物Ｌが吊られた状態で人手で清掃車内に押し込まれて積み込まれる。
その後、前記往復動体５をわずかに後退させてロープ３の張力を緩めて、フックｆが重量物Ｌから取り外されると共に、往復動体５がさらに後退してロープ３が戻され、先端のフックｆが下降して、次の重量物に引っ掛けられる。
【００１６】
図１、図２は、重量物Ｌが吊られた状態で、人手で目的地に押し込む構造であるのに対し、図３は、アームａを棚などに固定する構造に代えて、アームａ自体が旋回して重量物を水平方向に移動させる実施形態である。図３の（１）は、アームの基端ａ２の鉛直断面図であり、鉛直方向のボルトＢを旋回中心軸とする。
このボルトＢを、アーム基端ａ２と例えば前記棚などの水平部６に挿通すると共にバネワッシャーＷ１、Ｗ２を取付け、ナット７で締め付けてある。このように、バネワッシャーＷ１、Ｗ２を介在させてあるので、アームａの先端が多少上下に変位してもバネ性で吸収され、特に支障は生じない。なお、アームａの中間部は図示を省略してある。
（２）は、アーム先端ａ１の鉛直断面図であり、アーム先端ａ１寄りの下向きＵ字ボルトＵ３に吊りワイヤー８を通し、前記水平部６より上側の支持部９に吊ってある。
【００１７】
従って、前記の要領で重量物Ｌにフックｆを取付けた状態で、往復動体５を駆動してロープ３を前進させると、重量物Ｌが上昇する。次に、アームａを手で水平方向に押して人力で清掃車の積込み位置に重量物Ｌを移動してから、前記のようにロープ３の張力を緩めて前記フックｆを重量物Ｌから取り外すと、積込みが完了する。次いで、アームａを手で水平方向に押し戻すと共に、往復動体５が後退してロープ３を戻し、先端のフックｆを下降して、次の重量物に引っ掛ける。
この実施形態では、旋回に伴って、基端側滑車２から駆動側のロープが外れる恐れがあるので、旋回の角度はあまり大きくできないが、滑車２に２回巻きすると、外れにくくなる。
なお、図３では、滑車１、２やロープ３は省略してある。
【００１８】
以上の実施形態は、清掃車の往復動体５の駆動力を利用したが、他の機械の駆動力を利用してロープ３を前進・後退させることもできる。
アームａの長さは、使用目的に応じて決まるが、簡易式であるから、本格的な起重機のように長くはない。ＵボルトＵ1 、Ｕ2 、Ｕ3 は、ねじを使用せずに溶接固定する場合は、ねじ山は不必要である。
【産業上の利用可能性】
【００１９】
以上のように、機械力を利用できる位置に取付けて使用されるアームの先端寄りに設けられた滑車と基端寄りに設けられた滑車を備えており、しかもアームの基端寄りに連結されたロープが、駆動源と連結される駆動フックの中継滑車を経由し、さらに前記の基端寄りの滑車と先端寄りの滑車とを経由して、前記の重量物に連結される構造としたので、機械力を利用してロープを引き上げ、重量物を機械力で引き上げ移動でき、従来のように人力で重量物を持ち上げる必要が無くなる。しかも、アームが延びていて、容易に各種の機械に取付け、機械力を利用してロープを駆動できる。
【符号の説明】
【００２０】
ａ  アーム
Ｕ１、Ｕ２  Ｕボルト
ａ１  アーム先端
ａ２  アーム基端
１  先端滑車
２  基端滑車
３  ロープ
ｆ  負荷用のフック
Ｆ  駆動源に取付けるフック
４  駆動滑車
Ａ１、Ａ２  アングル
５  往復動体
Ｌ  重量物（負荷）
Ｂ  ボルト（旋回中心軸）
６  水平部
Ｗ１、Ｗ２  バネワッシャー
７  ナット
Ｕ３  下向きＵボルト
８  吊りワイヤー
９  支持部
【図１】
0003200595.tif 000003
【図２】
0003200595.tif 000004
【図３】
0003200595.tif 000005